(57)【要約】【課題】利用する場合は口に入れて舐めるだけで減ることがなく半永久的に使用できるものであって耐久性に洵に優れている外、主体は軽量小型で携行に簡便でアクセサリーとしても活用できる外、身に付けておけば使用したい場合にいつでも供することができる口臭除去用金属製舐片を得る。【解決手段】主たる構成は、材料番号１．４３０１又は１．４５７１を有するステンレス鋼からなる貨幣程度の径を有するタブレット状の舐片主体を設け、該主体の周面から法線方向に延びる硬質又は半硬質の合成樹脂を主材とする杆子を植設し、該杆子の先端部につまみ部を一体的に形成し、該つまみ部にストラップを連繋してなる。【選択図】図１
0003117207.tif 000002
【実用新案登録請求の範囲】
【請求項１】
材料番号１．４３０１又は１．４５７１を有するステンレス鋼からなる貨幣程度の径を有するタブレット状の舐片主体を設け、該主体の周面から法線方向に延びる硬質又は半硬質の合成樹脂を主材とする杆子を植設し、該杆子の先端部につまみ部を一体的に形成してなることを特徴とする口臭除去用金属製舐片。
【請求項２】
前記杆子のつまみ部にストラップを、必要により接続金具を介して連繋した請求項１記載の口臭除去用金属製舐片。
【請求項３】
前記舐片主体から前記つまみ部の末端部までを内包する大きさの鞘状ケース体を前記つまみ部に対して嵌脱自在に設けられている請求項１又は２記載の口臭除去用金属製舐片。
【考案の詳細な説明】
【技術分野】
【０００１】
本考案は、強烈な臭いのニンニク料理、アルコール飲料、タバコなどの臭いの強い香辛食材の入った料理や嗜好品を飲食した後の不快な臭いの口臭を、金属製舐片を口内に入れて短時間舐めるだけの極めて簡単な動作で確実に取り除くことができる外、耐久性もよく半永久的に使用できるようにした口臭除去用金属製舐片に関するものである。
【背景技術】
【０００２】
従来、口臭除去手段として、特開平５−０１７３２６号公報に開示の多糖類含有植物、特開平５−２６２６３０号公報に開示の緑茶の熱水抽出液、特開平５−３３９１３７号公報に開示のセージの非極性溶媒又はそれと極性溶媒との混合溶媒による抽出物と１−メントールとの併用、特開平５−３４５７１０号公報に開示のセージの抽出物とカルボンとの併用、特開平９−１１０６６２号公報に開示の３−メチル−５−フェニル−１−ペンタノール、１１−ドデセン酸及び４−メチル−４−デカノライドの１以上の香料、特開平９−２３８６４８号公報に開示のムラヤ属植物から得られる抽出物、特開平９−２６２０５７号公報に開示のカルボキシル基を持った多糖類含有食物、特開２００４−０５７２０５公報に開示のマメ科植物由来香気成分と消臭成分の併用、特開２００４−０６７５３０公報に開示のシソ科植物抽出物とラクトフェリンの併用、特開２００４−３５９６３４公報に開示のオレガノ粉砕物、等の特定の植物、香料、化学品を主原料として生成された口臭除去剤、口臭除去用組成物或いは口臭除去用食品が提供されている。
【０００３】
それらは、いずれも消耗品であって、使用により消滅するか或いは使用するたびに減少する性質のものである。
【特許文献１】特開平０５−０１７３２６号公報
【特許文献２】特開平０５−２６２６３０号公報
【特許文献３】特開平０５−３３９１３７号公報
【特許文献４】特開平０５−３４５７１０号公報
【特許文献５】特開平０９−１１０６６２号公報
【特許文献６】特開平０９−２３８６４８号公報
【特許文献７】特開平０９−２６２０５７号公報
【特許文献８】特開２００４−０５７２０５公報
【特許文献９】特開２００４−０６７５３０公報
【特許文献１０】特開２００４−３５９６３４公報
【考案の開示】
【考案が解決しようとする課題】
【０００４】
本考案の目的とするところは、利用する場合は口に入れて舐めるだけで減ることがなく半永久的に使用できるものであって耐久性に洵に優れている外、主体は軽量小型で携行に簡便でアクセサリーとしても活用できる外、身に付けておけば使用したい場合にいつでも供することができる極めて便利調法な口臭除去用金属製舐片を得ようとするものである。
【課題を解決するための手段】
【０００５】
本考案は以上の如き観点に鑑みてなされたものであって、その主たる構成は、材料番号１．４３０１又は１．４５７１を有するステンレス鋼からなる貨幣程度の径を有するタブレット状の舐片主体を設け、該主体の周面から法線方向に延びる硬質又は半硬質の合成樹脂を主材とする杆子を植設し、該杆子の先端部につまみ部を一体的に形成し、該つまみ部にストラップを連繋してなる口臭除去用金属製舐片を提供しようとするものである。
【０００６】
更に、前記杆子のつまみ部にストラップを、必要により接続金具を介して連繋してなる口臭除去用金属製舐片を提供しようとするものである。
【０００７】
更に又、前記舐片主体から前記つまみ部の末端部までを内包する大きさの鞘状ケース体を前記つまみ部に対して嵌脱自在に設けられている口臭除去用金属製舐片を提供しようとするものである。
【考案の効果】
【０００８】
本考案の口臭除去用金属製舐片は以下のような効果を有する。
（１）強烈な臭いのニンニク料理、アルコール飲料、タバコなどの臭いの強い香辛食材の入った料理や嗜好品を飲食した後に、杆子の先端部のつまみ部を持って舐片主体を口内に入れて短時間舐めるだけで、その表面が唾液や水分と接触して消臭効果を促進する触媒作用を行い、消臭成分と化学反応を起こして臭いを確実に取り除くことができる。
（２）舐片主体は、ステンレス鋼からなるものであるから、耐久性もよく半永久的に何度でも繰り返して使用できる。
（３）舐片主体は、貨幣程度の径を有するタブレット状の形状であるから、軽量小型で携行に簡便であり、又、ストラップで首に吊り下げればアクセサリーとしても活用できる。（４）携行するなど身に付けておけば、使用したい場合にいつでも供することができる。
【考案を実施するための最良の形態】
【０００９】
以下、本考案の具体的な一実施例を図面を参照しながら詳細に説明する。
材料番号１．４３０１又は１．４５７１を有するステンレス鋼からなる金属を主材とするタブレット状の舐片主体１を設ける。該舐片主体１は、それほど大きく口を開かずとも無理なく口中に入れられる程度の大きさであればよく、貨幣程度の径で十分である。
【００１０】
前記舐片主体１には、その周面２の中央から法線方向に延びる硬質又は半硬質の合成樹脂を主材とする杆子３が植設されている。該杆子３の先端部には、つまみ部４が一体的に形成されている。該杆子３は、そのつまみ部４を指先でつまんで該舐片主体１を口中に差し入れるのに具合のよい適当な長さを有している。
【００１１】
前記つまみ部４には、肌触りの良い丈夫なストラップ５が適宜の接続金具６を介して連繋している。該ストラップ５は、首に巻いて前記舐片主体１が胸元の位置に吊り下がる程度の適当な長さを有している。それにより、ペンダントのようなアクセサリーとして使用することができる。
【００１２】
前記舐片主体１からつまみ部４の末端部までを内包する大きさの鞘状ケース体７は、該ケース体７の先端裏面が該つまみ部４の末端部表面に対して嵌脱自在に設けられている。それにより、通常、該舐片主体１は杆子３を含めた全体がケース体７に納めて保護されている。
【図面の簡単な説明】
【００１３】
【図１】本考案一実施例において、ケース体を分離した使用時の状態を示す全体の斜視図である。
【図２】本考案一実施例において、舐片主体が杆子を含めてケース体に納められた不使用時の状態を示す全体の斜視図である。
【符号の説明】
【００１４】
１  舐片主体
２  舐片主体の周面
３  杆子
４  つまみ部
５  ストラップ
６  接続金具
７  鞘状ケース
【図１】
0003117207.tif 000003
【図２】
0003117207.tif 000004
【手続補正書】
【提出日】平成17年10月12日(2005.10.12)
【手続補正１】
【補正対象書類名】実用新案登録請求の範囲
【補正対象項目名】全文
【補正方法】変更
【補正の内容】
【実用新案登録請求の範囲】
【請求項１】
Fe-Cr-Niを主成分とするステンレス鋼にMo,Cu,W,Co,Nb 等の希少金属を微量含むオーステナイト系ステンレス鋼からなる金属を主材とする貨幣程度の径を有するタブレット状の舐片主体を設け、該主体の周面から法線方向に延びる硬質又は半硬質の合成樹脂を主材とする杆子を植設し、該杆子の先端部につまみ部を一体的に形成してなることを特徴とする口臭除去用金属製舐片。
【請求項２】
前記杆子のつまみ部にストラップを、必要により接続金具を介して連繋した請求項１記載の口臭除去用金属製舐片。
【請求項３】
前記舐片主体から前記つまみ部の末端部までを内包する大きさの鞘状ケース体を前記つまみ部に対して嵌脱自在に設けられている請求項１又は２記載の口臭除去用金属製舐片。
【手続補正２】
【補正対象書類名】明細書
【補正対象項目名】０００９
【補正方法】変更
【補正の内容】
【０００９】
以下、本考案の具体的な一実施例を図面を参照しながら詳細に説明する。
Fe-Cr-Niを主成分とするステンレス鋼にMo,Cu,W,Co,Nb 等の希少金属を微量含むオーステナイト系ステンレス鋼からなる金属を主材とするタブレット状の舐片主体１を設ける。該舐片主体１は、それほど大きく口を開かずとも無理なく口中に入れられる程度の大きさであればよく、貨幣程度の径で十分である。